(57)【特許請求の範囲】
【請求項１】
少なくとも
−ゴルファーが自分のボールをコースのホールに入れるのに要した打数と全打数
とをそれぞれ示す、第一カウンター（19）と第二カウンター（21）を有し、そ
の各々が表示手段（32、34）並びに該表示手段を駆動する手段（54、56、58、
60）および位置決めする手段（52）を含む第一および第二カウンター、並びに
−前記駆動手段（54、56、58、60）に接続され、使用者がカウンターのカウント
数を増加させ、且つ、カウンターをゼロにリセットすることのできる制御手段
（22、24、26、28）、
を含むゴルファー用腕時計において、
前記制御手段（22、24、26、28）がさらに少なくとも前記第一カウンター（19）のカウント数を減少することができるように設計されていることを特徴とすること。
【請求項２】
前記制御手段（22、24、26、28）が第一カウンター（19）のカウント数を増加および減少させると共に、第一カウンター（19）がゼロにリセットされたときに第二カウンター（21）のカウント数を増加させるように設計されていることを特徴とする請求項１に記載の腕時計。
【請求項３】
前記制御手段（22、24、26、28）が、第一カウンター（19）のカウント数をそれぞれ増加および減少させる第一および第二押しボタン（58、60）、第一カウンター（19）をゼロにリセットすると共にゼロにリセットされる前に第一カウンターが計数した打数分だけ第二カウンター（21）のカウント数を増加させる第三押しボタン（24）、および第二カウンター（21）をゼロにリセットするのを制御する第四押しボタン（22）を有することを特徴とする請求項２に記載の腕時計。
【請求項４】
前記制御手段（22、24、26、28）が、カウント数の増加および減少の間に第一カウンター（19）および第二カウンター（21）を同時に駆動するように設計されていることを特徴とする請求項１に記載の腕時計。
【請求項５】
前記制御手段（22、24、26、28）が、前記両カウンターのカウント数を増加させる第一押しボタン（24）、前記両カウンターのカウント数を減少させる第二押しボタン（22）、第一カウンター（19）をゼロにリセットする第三押しボタン（26）、および第二カウンター（21）をゼロにリセットする第四押しボタン（28）を有することを特徴とする請求項４に記載の腕時計。
【請求項６】
前記腕時計がさらに、開口部（18）を備えた文字盤（14）を備え、第一カウンター（19）の前記表示手段（30）が前記文字盤（14）の裏側に配された円盤によって形成されると共に文字盤（14）とコントラストをなす部分（36）を少なくとも一カ所備え、前記開口部（18）を通じて見ることのできる点によって打数を表示することを特徴とする、請求項１〜５のいずれかに記載の腕時計。
【発明の詳細な説明】
【０００１】
本発明は、
−ゴルファーが自分のボールをコースのホールに入れるのに要した打数と全打数
とをそれぞれ示す、第一カウンターと第二カウンターを有し、その各々が表示
手段、並びに該表示手段を駆動する手段および位置決めする手段を含む第一お
よび第二カウンター、並びに
−前記駆動手段に接続され、使用者がカウンターのカウント数を増加させ、且つ
、カウンターをゼロにリセットすることのできる制御手段、
を少なくとも含む型のゴルファー用腕時計に関する。
【０００２】
いくつかのカウンターを備えたゴルファー用時計は、例えばスイス特許No. 663,318号などによって公知である。その時点でプレイ中のホールに関する結果と既に終わったホールでの打数の合計とを表示するこのような時計によって、ゴルファーはラウンドの進行を規則的にフォローすることができる。
【０００３】
比較的よく起こるのは、制御手段、通常は押しボタン、を誤操作することによって誤った結果が表示されてしまうことである。このようなときに、ゴルファーはこのカウンターをゼロにリセットして正しい結果までカウント数を増加させるか、次のストロークをカウントするのをやめる。最初の場合にあっては、ゴルファーは比較的長時間に亘る操作をしなくてはならず、第二の場合にあっては、次のストロークをカウントしないことを覚えていなくてはならない。いずれの場合においても、ゴルファーの集中度と楽しみとは低減してしまう。このような欠点によってゴルファー用時計の使用は面倒くさいものとなり、結果として、ゴルファーはこの型の商品に関心を持たなくなり、他の方法で打数を数えることを選ぶようになる。
【０００４】
本発明はこの欠点を克服する方法を提案する。この目的は、本発明の腕時計においては、使用者が少なくとも第一カウンターのカウント数を減少させることもできるように制御手段が設計されているという事柄によって達成される。
【０００５】
第一の態様においては、第一カウンターがゼロにリセットされる場合は、第一カウンターのカウント数を増加および減少させると共に第二カウンターのカウント数を増加させるように制御手段が設計される。この場合においては、直前のホールが終了するまでに打たれたストローク数を表示する。その総数は続くホールが終了する時点でのみ修正される。第一カウンターは、蓄積した数字を第二カウンターの数字に加算した後にゼロにリセットされる。この態様においては、カウント数を減少することによる修正は第一カウンターのみについて行われる。
【０００６】
この態様では、第一カウンターのカウント数をそれぞれ増加および減少させる第一押しボタンおよび第二押しボタン、第一カウンターをゼロにリセットすると共にゼロにリセットされる前に第一カウンターが計数した打数分だけ第二カウンターを増加させる第三押しボタン、並びに第二カウンターをゼロにリセットする制御を行う第四押しボタンを有する制御手段を使用する。
【０００７】
第二の態様においては、カウント数の増加および減少中に第一カウンターと第二カウンターとを同時に駆動するように制御手段が設計されている。その結果、第二カウンターは直前のホールの打数を含む総打数を表示することになる。また、修正をしなくてはならない場合は、両方のカウンターに対して修正をしなくてはならない。
【０００８】
この態様においては、制御手段が、２つのカウンターのカウント数を増加させる第一押しボタン、両カウンターのカウント数を減少させる第二押しボタン、第一カウンターをゼロにリセットする第三押しボタン、並びに第一カウンターおよび第二カウンターをゼロにリセットする第四押しボタンを有していると都合がよい。
【０００９】
腕時計が開口部を備えた文字盤をさらに有し、第一カウンターの表示手段が文字盤の後ろ側に配置されており、該表示手段が円盤の形状をすると共に文字盤とコントラストをなす部分を少なくとも一カ所備えており、開口部を通して見える点によって打数を表示するようになっていると、都合がよい。
【００１０】
本発明の他の利点および特徴は、添付の図面を参照しながらなされる以下の説明によって明らかになるであろう。
【００１１】
以下の記載において、数字の後に続いて「時」と記載することによって、腕時計の文字盤上の位置を示すものとする。この位置は、時間を考えるときに時針によって占められる位置に対応する。
【００１２】
図１は、本発明による腕時計を示しており、ケース10および手首バンド12を有している。ケース10は筐体でもあり、該筐体中には文字盤14および時と分とを表示する針16を有する腕時計のムーブメントが固定されている。
【００１３】
文字盤14は10個の円形の開口部18を備えており、該開口部は文字盤の縁に沿って、おおよそ「９時」の位置と「２時30分」の位置との間に円弧状に配置されている。この開口部は第一カウンター19を形成する。また、文字盤の「３時」の位置に配置されている長方形の開口部20には第二カウンター21の計数が表示される。カウンター19とカウンター21とは、それぞれ、任意の１ホールを終了するのに要する打数と総打数とを表示することができるようになっている。
【００１４】
この腕時計は、それぞれ「２時」、「４時」、「８時」および「10時」の位置に配された４つの押しボタン22、24、26および28によって制御されている。
【００１５】
図２に示されているように、ムーブメントは、様々な部品の支持体として機能する板体29を有している。
【００１６】
文字盤14の背面には、板体29上で枢軸旋回するように、３つの円盤30、32および34が取り付けられている。円盤30は図２に示されているが、円盤32および34は開口部20を通して図１に示されているのみである。
【００１７】
第一の円盤30は板体29上に配されており、バネ31と２本のピン33によって位置を定められている。板体29に固定されているバネ31は「３時」から「９時」の方角に放射状の力を及ぼす。ピン33は、それぞれ、「７時30分」と「10時30分」の位置で板体29に打ち込まれている。
【００１８】
静止位置においては、この円盤30は針16と同心である。円盤は、文字盤の下に配されたその表面に、その外見が文字盤14の背景とコントラストをなすと共に開口部18を通して全体または部分が見えるように配置されている点36を有している。この円盤によって任意のホールを終了するのに要した打数が表示される。
【００１９】
円盤30は２つの外部歯状体を備えている。第一外部歯状体38は二等辺三角形の形状をしており、第二外部歯状体40は鋸状であり、双方とも10個の歯を有している。歯状体38の両端には留め具39があり、この留め具の機能は後述する。この円盤は内部歯状体42も備えている。これら３つの歯状体の歯は同一の角度ピッチを有している。
【００２０】
第二の円盤32は中心を外れて「３時」の位置に配されている。第二の円盤の文字盤の下にくる面に、周縁部に向かってその接線の方に向いた０〜９の数字が示されており、この数字は開口部20から連続的に見えるようになっている。この円盤32は加算カウンター21の１の位を表示する。円盤32の下側の面には10個の歯を有する星形輪44が取り付けられており、これらの歯は、後述するように、円盤30の位置に応じて、内部歯状体42と咬合したり咬合しなかったりする。星形輪44の板体は指状体46を有しており、これは半径方向に弾力性があると都合がよい。指状体の機能は後述する。円盤32はハート形部材を備えていると好都合であるが、これは、後述する円盤34と同様、図示されていない。
【００２１】
第三の円盤34は、やはり、針16と同心である。円盤34は、文字盤の下の面に０から11の数字を有しており、この数字は開口部20から、円盤32が有する数字の左方に連続的に見えている。この円盤は加算カウンター21の10および100の位を表示する。円盤34は、指状体46と同じ高さにあると共にその通路上にある、12個の歯を有する星形輪48と、クロノグラフに取り付けられるもののようなハート形部材50とを備えている。
【００２２】
３つの円盤30、32および34はジャンパーバネによって位置を決められている。図面に情報を盛り込みすぎるのを避けるために、その内の１つのみを52として部分的に示した。ジャンパーバネ52は内部歯状体42と共働する。
【００２３】
押しボタン22、24、26および28にそれぞれ対向するように板体29の周縁部に配された、４つのレバー54、56、58および60によって円盤は駆動される。これらの各々は前記板体上のａ位置でそれぞれ枢軸旋回するように取り付けられており、それらが共働する押しボタンの近傍にあるｂ位置にそれぞれ屈曲部を有している。
【００２４】
レバー54はカウンター21をゼロにリセットするために設けられている。このレバーは、２つのハンマー（その内の１つ、ハート形部材50と共働するように配されているもののみ54ｃとして図示してある）と、レバー60に当接して、押しボタン22によって圧力が加えられたときにレバー54を静止位置に戻そうとする戻しトルクを発生する、弾力性のあるアーム54ｄとを有している。第二のハンマーは、円盤32が有しているハート形部材と共働するようになっている。
【００２５】
レバー56の機能はカウンター19をゼロにリセットすることである。このレバーは、レバー58に当接して、押しボタン24によって圧力が加えられたときにレバー56を静止位置に戻そうとする戻しトルクを発生する、弾力性のあるアーム56ｃを備えている。レバー56には指状体62が接続されており、また、押しボタン24に圧力を加えて歯状体40と指状体62とを咬合させて円盤を反時計回りに動かすバネ64を有している。
【００２６】
レバー58はカウンター19のカウント数を増加させるためのものである。このレバーの枢軸旋回点58ａの反対側にはピン58ｃが設けられており、このピンは円盤30の厚さ方向に延びている。ピン58ｃは非常に正確に配置されており、押しボタン26を如何に操作しても該ピン58ｃが歯状体38の歯の側面に当接して時計回りに円盤30を駆動するようになっている。さらに、枢軸旋回点とピン58ｃとの間のレバーの胴部に当接している弾力性のあるアーム56ｃは、押しボタン26によって圧力が加えられたときにレバー58を静止位置に戻そうとするトルクを発生する。
【００２７】
レバー60はレバー58に類似の構造を有しており、やはり、歯状体38の別の歯の側面と共働するように配されたピン60ｃを備えており、押しボタン28に圧力を加えることによって円盤30を反時計方向に駆動するようになっている。さらに、レバー60からその枢軸旋回点を越えて延びる指状体60ｄの外側に当接する弾力性のあるアーム54ｄは、押しボタン28によって圧力が加えられたときにレバー60を静止位置に戻そうとするトルクを発生する。
【００２８】
この装置は以下のように作動する。
【００２９】
初期状態において、２つのカウンター19と21とは０を示している。第一打の後、ゴルファーが押しボタン26を押すと、このボタンはレバー58を駆動する。ピン58ｃが歯状体38に作用して円盤30を時計回りに、一段階、ジャンプさせる。すると、点36が開口部18の一つに現れる。
【００３０】
この操作の間、円盤30は板体上を「９時」から「３時」の方向に動く。これによってバネ31が変形して、内部歯状体42は星形輪44と咬合しなくなる。換言すれば、カウンター21の状態は変化しない。同じホールでプレイしている間、ストローク毎に、ゴルファーは押しボタン26を押してカウンター19のカウント数を一つずつ増加して行く。
【００３１】
ボールがホールに入ると、ゴルファーは次のホールへと移動する。そのときに、ゴルファーは押しボタン24を何度か続けて押してカウンター19をゼロにリセットする。この時点で、円盤30は腕時計の針と同心になっており、内部歯状体42は星形輪44と咬合している。このようにして、第二の円盤は、円盤30が表示したドットの数と同数のステップだけ回転される。その結果、カウンター19をゼロにリセットすることによって、カウンター21のカウント数はカウンター19が計数したドットの数だけ増加される。
【００３２】
そして、第二ホールで、ゴルファーは押しボタン26を引き続いて押すことによって打数を再びカウントし、これを最終ホールまで続ける。
【００３３】
途中で、一度に押しボタン26を押し過ぎて計数ミスを犯してしまったら、押しボタン28を押してカウンター19を減数して、カウンター21のカウント数に影響を与えることなく、ミスの修正をすることができる。
【００３４】
ラウンドの最後に、カウンター19をゼロに最終リセットする。その結果、カウンター21はラウンド全体の総打数を表示する。
【００３５】
新しいゲームを始める前にゴルファーはカウンター21をゼロにリセットしなくてはならない。押しボタン22を一度押すことによってレバー54のハンマーを円盤32および34のハート形部材50に当ててこれらをゼロに戻す。円盤32と34とは弾力性のある指状体46で相互に連結されているので、この２つの円盤は一方が他方に対向しながら自由に動くことができる。
【００３６】
図２においては、ドット36の全てが開口部18に現れるような位置に円盤30が来ていることに注意されたい。即ち、カウンター19は飽和状態である。このときにはピン58ｃが留め具39に当接しているので、ゴルファーが押しボタン26を押してさらにドットを増やそうとしても、これ以上は増やすことができない。
【００３７】
図３に示されている機構は図２の機構に類似しているが、レバー54、56、58、および60、並びに円盤30が相違している。これらは、「６時」と正午とを通過する平面に関して対称に配されている。
【００３８】
この配置においては、押しボタン22は、やはり、円盤30が表示するカウント数を減少する機能を有するレバー60に作用する。押しボタン24はレバー58を動かしてカウンター19のカウント数を減少させる。押しボタン26はレバー56と共働するように配されており、カウンター19をゼロにリセットする。最後に、押しボタン28はレバー54と共働してカウンター21をゼロにリセットする。
【００３９】
この変形例によると、押しボタン58および60を一度押すことによって、円盤30と32とを同時に駆動する。この操作中、円盤30は時計の針と同心であり、歯状体42は星形体44と咬合する。このようにして、２つのカウンター19と21とは、同時に増加および減少される。
【００４０】
押しボタン26によって動かされるレバー56によって１の位のカウンターがゼロにリセットされると、円盤30は「９時」から「３時」の方向に沿って横方向に移動する。すると、内部歯状体42は星形体44と咬合しなくなる。換言すれば、カウンター19をゼロにリセットすることはカウンター21の状態に影響を与えない。
【００４１】
この態様にあっては、ドット36が「２時30分」の位置から反時計方向に開口部18に現れてくることを、再度、強調しておきたい。
【００４２】
本発明の範囲から外れることなく、本発明の腕時計に数多くの他の変更を加えることができるのは明らかである。特に、カウンター19はデジタル手段によっても設計することができる。このような変更を加えれば、時計の様々な部品を別の方法で配置することになる。
【００４３】
また、上記原理を変更することなく、表示手段を様々な方法で駆動することができるのはいうまでもない。
【図面の簡単な説明】
【図１】  図１は、本発明による腕時計の外観を示している。
【図２】  図２は、本発明による腕時計の制御を可能にする機構の一態様を示している。
【図３】  図３は、本発明による腕時計の制御を可能にする機構の別の態様を示している。
【図１】
0004456280.tif 000002
【図２】
0004456280.tif 000003
【図３】
0004456280.tif 000004